(57)【要約】【課題】  浄水と原水とを切り替える切替部材において、操作性の向上を図ることである。【解決手段】  原水が導入される第１入口部２４及び浄水が導入される第２入口部２５を備えた切替本体部２２と、この切替本体部２２に挿入され第１入口部２４から供給される原水の流路開閉及び第２入口部２５から供給される浄水の流路開閉を独立して行なう切替弁体４５と、切替弁体４５と連繋した操作部２１とを備え、前記切替本体部２２には切替弁体４５を介して第１入口部２４と連通する第１出口２８部及び第２入口部２５と連通する第２出口部２９を備え、操作部２１の操作により原水と浄水とを各出口部２８，２９から独立して供給されるようにした。【選択図】  図２
2006307519.tif 000002
【特許請求の範囲】
【請求項１】
原水が導入される第１入口部及び浄水が導入される第２入口部を備えた切替本体部と、この切替本体部に挿入され第１入口部から供給される原水の流路開閉及び第２入口部から供給される浄水の流路開閉を独立して行なう切替弁体と、切替弁体と連繋した操作部とを備え、前記切替本体部には切替弁体を介して第１入口部と連通する第１出口部及び第２入口部と連通する第２出口部を備え、操作部の操作により原水と浄水とを各出口部から独立して供給されるようにしたことを特徴とする切替部材。
【請求項２】
前記切替操作部は中央で止水位置とし、中央から一方への回転で原水が供給され、中央から他方への回転で浄水が供給されることを特徴とする請求項１記載の切替部材。
【発明の詳細な説明】
【技術分野】
【０００１】
この発明は、例えば水栓から導入される水を浄水または原水の何れかに切り替える切替部材に関するものである。
【背景技術】
【０００２】
従来、１つのレバーの操作により、水，湯の吐止水操作を行うだけでなく、浄水器で浄化された浄水をも吐水させる切替部材として公知のものに、例えば特許文献１がある。この特許文献１では、温冷水混合栓は、栓本体の上側に操作レバーを連結し、栓本体の下側に吐水管を回動自在に連結するとともに、栓本体は水，湯の各配管及び浄水器と接続しており、温冷水混合栓の内部には、操作レバーに連設する切換弁を備えている。この切換弁は温冷水混合栓内に固定状態に配設した第１弁体と、操作レバーに連結して水平，上下方向に回動する第２弁体とを有しており、第１弁体には、水配管と連通する冷水流入孔と、湯配管と連通する温水流入孔と、浄水器に連通する浄水吐水孔と、吐水管に連通する吐水孔とが形成され、第２弁体には流入案内孔と流出案内孔とが形成されている。そして、操作レバーの回動操作により、適宜選択的に、第２弁体の流入案内孔を第１弁体の温水流入孔，冷水流入孔の何れか一方または両方と、第２弁体の流出案内孔を第１弁体の吐出孔，浄水吐出孔の何れか一方に連通可能とし、冷水，温水，温冷水混合水（以下、これら３種類の水を原水と称呼）、さらに、浄水器により浄化された浄水を、同一の吐水口から吐水可能としたものである。
【特許文献１】実用新案登録第２５８７２５５号公報
【発明の開示】
【発明が解決しようとする課題】
【０００３】
前記特許文献１では、使用者が原水を吐水させたい場合に、操作レバーを回動させ過ぎてしまい、誤って浄水を吐水させたり、操作レバーの回動量が少なく、原水を吐水させてしまうことがあり、その操作性の改善が望まれていた。
【０００４】
この発明は、このような従来の技術に存在する問題点に着目してなされたものであり、その目的は、浄水と原水とを切り替える切替部材において、操作性の向上を図ることである。
【課題を解決するための手段】
【０００５】
上記目的を達成するため、請求項１記載の発明による切替部材では、原水が導入される第１入口部及び浄水が導入される第２入口部を備えた切替本体部と、この切替本体部に挿入され第１入口部から供給される原水の流路開閉及び第２入口部から供給される浄水の流路開閉を独立して行なう切替弁体と、切替弁体と連繋した切替操作部とを備え、前記切替本体部には切替弁体を介して第１入口部と連通する第１出口部及び第２入口部と連通する第２出口部を備え、操作部の操作により原水と浄水とを各出口部から独立して供給されるようにしたものである。
【０００６】
請求項２記載の発明では、請求項１記載の切替部材において、前記切替操作部は中央で止水位置とし、中央から一方への回転で原水が供給され、中央から他方への回転で浄水が供給されるものである。
【発明の効果】
【０００７】
本発明の請求項１記載の発明では、切替本体部には原水と浄水とが導入され、簡単な操作でしかも間違えることなく、原水と浄水との何れかの供給を切り替えることができるので、希望する形態の水を素早く供給することができ、使い勝手がよい。
【０００８】
請求項２に記載の発明では、切替操作部を中央から一方または他方への操作で、原水または浄水を供給することができ、操作が容易で誤操作することがない。
【０００９】
以下、本発明を具体化した実施形態を図に基づいて詳細に説明する。
【実施例１】
【００１０】
図１は、流し台１のカウンター２に本発明の切替部材２０を備えた水栓Ａが取り付けられた状態である。
水栓Ａは、カウンター２に形成されたシンク３へ向けて供給される湯水（以下、原水と称呼）の温度調節が行なわれる温度調節部材１０と、温度調節部材１０を介して導入される原水または給水源から浄水器（図示省略）を介して導入される浄水の吐止水と流量とを調節する切替部材２０と、切替部材２０に導入された原水または浄水をシンク３に向けて供給する吐水管６０とを備えている。
【００１１】
図２に示すように、前記水栓Ａの温度調節部材１０と切替部材２０とは、その機能部がカウンター２内に埋め込まれた状態で装着されており、カウンター２には温度調節部材１０と連繋し原水の温度を調節する温調操作部１１と、原水の吐水，止水の切り替えと流量調節を行なう切替部材２０と連繋した切替操作部２１とがそれぞれ上部に突出した状態で併設されている。切替部材２０は、温度調節部材１０を通過した原水、及び温度調節部材１０を通過しないで給水源から浄水器を介して直接導入される浄水の吐水，止水の開閉と流量調節とを行なうもので、原水，浄水の吐水管６０への供給を何れかに切り替えられるものである。
【００１２】
前記温度調節部材１０は、略円筒状に形成された温調本体部１２の外周面に２つの入口部１３，１４と１つの出口部１５とが形成され、水入口部１３は水供給管１６を介して給水源と連通し、湯入口部１４は湯供給管１７を介して給湯器と連通し、出口部１５は連結管１８を介して切替部材２０と連通し、内部には両入口部１３，１４から導入される水と湯との混合温度を調節するための調節弁１９が収容されている。また、カウンター２の上部には調節弁１９と連繋した温調操作部１１が取り付けられている。
【００１３】
前記切替部材２０は、温度調節部材１０により温度調節された原水の吐水管６０への供給、または温度調節部材１０を通過しないで給水源から浄水器を介して直接導入される浄水の吐水管６０への供給の何れかを切り替えるもので、図１に示すように、原水は原水通水管６１を介して吐水管６０へ供給され、浄水は浄水通水管６２を介して吐水管６０へそれぞれ供給される。
【００１４】
図３に示すように、切替部材２０はその骨格を構成する切替本体部２２を備える。切替本体部２２はその内部に原水及び浄水が通過する通水路２３が形成された略円筒状で、前記温度調節部材１０と併設した状態でカウンター２の内側に埋め込み状態で装着される。切替本体部２２はその外周面から同一方向に突出して一対の入口部２４，２５が軸心方向に互いの間隔を設けて形成され、一方に形成された第１入口部２４は、前記連結管１８を介して温度調節部材１０の出口部１５に接続され、他方に形成された第２入口部２５は、浄水供給管２７を介して浄水器に接続されている。
【００１５】
切替本体部２２の外周面から同一方向に突出して、その軸心を中心として前記各入口部２４，２５と反対側には、一対の出口部２８，２９が軸心方向に互いの間隔を設けて形成され、一方に形成された第１出口部２８は、通水路２３を介して前記第１入口部２４と同一軸線上に形成され、原水通水管６１を介して吐水管６０に接続される。また、第２出口部２９は、前記第１出口部２８と所定の間隔をおいて形成され、前記第２入口部２５と通水路２３を介して同一軸線上に配置されており、浄水通水管６２を介して吐水管６０に接続されている。
【００１６】
切替本体部２２はその通水路２３の軸心方向に切替カートリッジ３１が装着される。切替カートリッジ３１は中空円筒状で、図４に示すように、内部に中間筒４０が結合される外筒３２と、この外筒３２及び中間筒４０の内部に回転自在に収容される切替弁体４５とを備えている。前記外筒３２の一端には中間筒４０及び切替弁体４５を軸方向に収容するための開口孔３３が形成され、その周壁には切替本体部２２の第２入口部２５と連通する入口孔３４が形成され、この入口孔３４と軸方向の同一軸線上に第１出口孔３５と第２出口孔３６とが形成されている。この第１出口孔３５と第２出口孔３６との外周にはストレーナ３７，３７が装着され、原水または浄水に含まれた異物はストレーナ３７，３７により捕捉されるようにしている。
【００１７】
前記外筒３２の外周面には、入口孔３４と第１出口孔３５との間、及び入口孔３４と第１出口孔３５の外側両端の計４箇所に環状溝３８が形成され、各環状溝３８にはシール材３９がそれぞれ装着されている。このシール材３９は切替本体部２２の隔壁２２ａと外筒３２の外周面との間を水密的にシールするものであり、ゴム，合成樹脂，その他の弾性体を素材とし、第１入口部２４と第１出口部２８とを連通させる通水路２３を、原水一次室２３ａと原水二次室２３ｂとに仕切り、浄水入口部２５と浄水出口部２９とを連通させる通水路２３を、浄水一次室２３ｃと浄水二次室２３ｄとに仕切るように各室の間に装着されている。
【００１８】
前記中間筒４０は外筒３２の内部に結合され、その外周面には外筒３２の第１出口孔３５と連通する第１通水孔４１と、第２出口孔３６と連通する第２通水孔４２とが形成されている。なお、本実施例では外筒の内部に中間筒を結合しているが、外筒と中間筒とは一体としてもよい。
【００１９】
前記切替弁体４５は略円筒状で、外筒３２の内部に回転自在に装着される。切替弁体４５の一端には前記切替本体部２２の第１入口部２４と連通する第３通水孔４６が形成され、外周面には外筒３２の第１出口孔３５および中間筒４０の第１通水孔４１と連通する第４通水孔４７と、外筒３２の入口孔３４と連通する第５通水孔４８と、外筒３２の第２出口孔３６および中間筒４０の第２通水孔４２と連通する第６通水孔４９とが形成されている。切替弁体４５の内部には隔壁５０が形成され、この隔壁５０により切替弁体４５の内部の流路は、原水一次室２３ａと連通し原水が通過する第１通水室５１と、浄水一次室２３ｃと連通し浄水が通過する第２通水室５２とに仕切られている。従って、温度調節部材１０から供給される原水と、浄水器から供給される浄水とは、切替弁体４５の内部で混合することはない。
【００２０】
前記切替弁体４５の一端には外筒３２に形成された挿通孔３２ａを挿通するスピンドル５３が結合され、スピンドル５３の先端には切替操作部２１が装着されている。
切替操作部２１は中央が止水位置で、その止水位置から一方へ回転させると原水が供給され、他方へ回転させると浄水が供給されるように設定されているものであり、切替操作部２１の回転操作により切替弁体４５は外筒３２の内部を回転し、中間筒４０の第１通水孔４１を通過する原水は、原水通水管６１を介して吐水管６０へ、中間筒４０の第２通水孔４２を通過する浄水は、浄水通水管６２を介して吐水管６０へそれぞれ供給される。
【００２１】
次に、この実施形態の切替部材の作用について説明する。
図５（ａ）（ｂ）は、原水と浄水との何れも吐水管６０から供給されない止水状態を示している。この状態においては、切替操作部２１の操作により切替弁体４５がその軸線を中心とした一方の回動位置に配置され、切替弁体４５の第１通水室５１と中間筒４０の第１通水孔４１とは、切替弁体４５の隔壁４５ａによりその流路が遮断されている。また、切替弁体４５の第２通水室５２と中間筒４０の第２通水孔４２とは、切替弁体４５の隔壁４５ａによりその流路が遮断されている。従って、温度調節部材１０から導入される原水と浄水器から導入される浄水とは切替部材２０で止水され、各出口部２８，２９から吐水管６０へは供給されない。
【００２２】
吐水管６０から原水を供給するには、切替操作部２１を回転操作する。図６（ａ）（ｂ）に示すように、切替操作部２１の止水位置である中央から一方の左方向への回転操作により、切替弁体４５が外筒３２の内部で回転すると、切替弁体４５の第１通水室５１と中間筒４０の第１通水孔４１とは、切替弁体４５の第４通水孔４７により連通する。また、切替弁体４５の第２通水室５２と中間筒４０の第２通水孔４２とは、切替弁体４５の隔壁４５ａによりその流路が遮断されている。従って、図３に示す温度調節部材１０から切替部材２０へ連結管１８を介して導入される原水は、第１出口部２８と原水通水管６１とを通過し、吐水管６０から外部へ供給される。また、浄水器から浄水供給管２７を介して導入される浄水は、切替部材２０で止水され、第２出口部２９から吐水管６０へは供給されない。
【００２３】
吐水管６０から浄水を供給するには、切替操作部２１を回転操作する。図７（ａ）（ｂ）に示すように、切替操作部２１の止水位置である中央から一方の右方向への回転操作により、切替弁体４５が外筒３２の内部で回転すると、切替弁体４５の第１通水室５１と中間筒４０の第１通水孔４１とは、切替弁体４５の隔壁４５ａによりその流路が遮断されている。また、切替弁体４５の第２通水室５２と中間筒４０の第２通水孔４２とは、切替弁体４５の第６通水孔４９により連通する。従って、浄水器から導入される浄水は第２出口部２９と浄水通水管６２とを通過し、吐水管６０から外部へ供給される。また、温度調節部材１０から導入される原水は、切替部材２０で止水され、第１出口部２８から吐水管６０へは供給されない。
【００２４】
以上のように本発明の切替部材では、切替本体部には原水と浄水とが導入され、簡単な操作でしかも間違えることなく、原水と浄水との何れかの供給を切り替えることができるので、希望する形態の水を素早く供給することができ、使い勝手がよい。
【００２５】
さらに、切替操作部を中央から一方または他方への操作で、原水または浄水を供給することができ、操作が容易で誤操作することがない。
【００２６】
図８は、本発明の別の実施例で、水栓Ｂはカウンター２に取り付けられた本体６と、本体６の上部に回転自在に装着された吐水管６０ａとを有しており、温度調節部材１０は水栓の本体６に設けられているとともに、切替部材２０ａは吐水管６０ａの先端付近に設けられている。なお、先の実施例と同一の構造には同一の付号を付し、詳細な説明は省略する。
【００２７】
前記切替部材２０ａは温度調節部材１０を通過した原水、及び温度調節部材１０を通過しないで給水源から浄水器を介して直接導入された浄水の吐水，止水の開閉と、流量調節を行うもので、原水，浄水は吐水管６０ａ先端の吐水口６３から外部へ直接吐水される点で先の実施例と異なるものである。
【００２８】
本実施例においても、切替部材は、切替本体部には原水と浄水とが導入され、簡単な操作でしかも間違えることなく、原水と浄水との何れかの供給を切り替えることができるので、希望する形態の水を素早く供給することができ、使い勝手がよい。
【図面の簡単な説明】
【００２９】
【図１】本発明の切替部材を備えた水栓が取り付けられた流し台の全体図である。
【図２】図１における水栓の一部側断面図である。
【図３】切替部材の要部拡大断面図である。
【図４】切替カートリッジの分解斜視図である。
【図５】（ａ）は止水状態の切替カートリッジを示す断面図であり、（ｂ）は同じく止水状態の切替操作部を示す平面図である。
【図６】（ａ）は原水の供給状態の切替カートリッジを示す断面図であり、（ｂ）は同じく原水の供給状態の切替操作部を示す平面図である。
【図７】（ａ）は浄水の供給状態の切替カートリッジを示す断面図であり、（ｂ）は同じく浄水の供給状態の切替操作部を示す平面図である。
【図８】本発明の別の実施例で、切替部材を備えた水栓が取り付けられた流し台の全体図である。
【符号の説明】
【００３０】
２０  ：  切替部材
２１  ：  切替操作部
２２  ：  切替本体部
２４  ：  第１入口部
２５  ：  第２入口部
２８  ：  第１出口部
２９  ：  第２出口部
４５  ：  切替弁体
【図１】
2006307519.tif 000003
【図２】
2006307519.tif 000004
【図３】
2006307519.tif 000005
【図４】
2006307519.tif 000006
【図５】
2006307519.tif 000007
【図６】
2006307519.tif 000008
【図７】
2006307519.tif 000009
【図８】
2006307519.tif 000010